(57)【要約】【課題】  決済処理の際に買物客一人当たりが決済端末を占有する時間を短縮することが可能な決済システムを提供する。【解決手段】  携帯端末及び決済端末を備える決済システム。携帯端末は第１の識別子を光学読取して、第１の識別子に対応する商品コードを取得し、商品コードに対応し、第１の識別子とは異なる第２の識別子を表示する。決済端末は、携帯端末の表示手段に表示された第２の識別子を光学読取して商品コードを取得し、その商品コードに基づいて決済処理を行う。【選択図】  図１
2019087198.tif 000002
【特許請求の範囲】
【請求項１】
携帯端末及び決済端末を備える決済システムであって、
前記携帯端末は、
光学読取可能な識別子である第１の識別子を光学読取して、前記第１の識別子に対応する商品コードを出力するための第１の読取手段と、
前記商品コードに対応し、光学読取可能な識別子であって、前記第１の識別子とは異なる第２の識別子を出力するための識別子変換手段と、
前記第２の識別子の画像を表示するための表示手段とを備え、
前記決済端末は、
前記表示手段に表示された前記第２の識別子の画像を光学読取して、前記第２の識別子に対応する前記商品コードを出力するための第２の読取手段と、
前記第２の読取手段によって読み取った前記商品コードに基づいて、決済処理を行う決済処理手段とを備える、決済システム。
【請求項２】
前記識別子変換手段は、複数の前記商品コードに対応する一の前記第２の識別子を出力する、請求項１に記載の決済システム。
【請求項３】
前記携帯端末は商品の個数を入力するための数字入力手段を備え、
前記識別子変換手段は、前記数字入力手段を介して入力された商品の個数、及び、前記第１の読取手段が出力した前記商品コードに対応する前記第２の識別子を出力する
請求項１または請求項２に記載の決済システム。
【請求項４】
前記第１の識別子は一次元バーコードであり、前記第２の識別子は二次元バーコードである、請求項１乃至請求項３のいずれかに記載の決済システム。
【請求項５】
前記決済システムは、商品コードとその商品コードが示す商品の価格とを関連付けた商品マスタを格納するための記憶手段を備え、
前記決済端末は、入力された商品コードに対応する価格を前記記憶手段から取得し、取得した前記価格に基づいて前記決済処理を行う、請求項１乃至請求項４のいずれかに記載の決済システム。
【請求項６】
前記決済システムは、商品コードとその商品コードが示す商品の重量とを関連付けた商品マスタを格納する記憶手段を備え、
前記決済端末は重量計を備え、
前記決済端末は、前記第２の読取手段を介して入力された、前記商品コードが示す商品の重量を、前記記憶手段から取得し、
前記重量計にて計測した、一乃至複数の商品全体の重量と、前記商品マスタから取得した、前記一乃至複数の商品の重量の合計とを比較するための比較手段を、前記決済端末は更に備える
請求項１乃至請求項５のいずれかに記載の決済システム。
【請求項７】
光学読取可能な識別子である第１の識別子を光学読取して、前記第１の識別子に対応する商品コードを出力するための第１の読取手段と、
前記商品コードに対応し、光学読取可能な識別子であって、前記第１の識別子とは異なる第２の識別子を出力するための識別子変換手段と、
前記第２の識別子の画像を表示するための表示手段とを備える、携帯端末。
【請求項８】
前記識別子変換手段は、複数の商品コードに対応する一の前記第２の識別子を出力する、請求項７に記載の携帯端末。
【請求項９】
光学読取可能な識別子である第１の識別子を光学読取して、前記第１の識別子に対応する商品コードを出力する第１の読取手順、
前記商品コードに対応し、光学読取可能な識別子であって、前記第１の識別子とは異なる第２の識別子を出力する識別子変換手順、及び、
前記第２の識別子の画像を表示装置に表示する表示手順
を携帯端末の処理装置に実行させるためのプログラム。
【請求項１０】
携帯端末を用いて、光学読取可能な識別子である第１の識別子を光学読取して、前記第１の識別子に対応する商品コードを求める第１の読取段階、
前記携帯端末を用いて、前記商品コードに対応し、光学読取可能な識別子であって、前記第１の識別子とは異なる第２の識別子を求める識別子変換段階、
前記携帯端末を用いて、前記第２の識別子の画像を表示する表示段階、
前記携帯端末にて表示された前記第２の識別子の画像を、決済端末を用いて光学読取し、前記第２の識別子に対応する前記商品コードを求める第２の読取段階、及び、
前記決済端末を用いて、前記第２の読取段階で読み取った前記商品コードに基づいて、決済処理を行う決済処理段階
を含む決済方法。
【発明の詳細な説明】
【技術分野】
【０００１】
本発明は、ＰＯＳ（Ｐｏｉｎｔ  Ｏｆ  Ｓａｌｅｓ）端末等からなる決済システムに関し、特に、購入した商品を入力して決済する決済システム、携帯端末、および決済方法に関する。
【背景技術】
【０００２】
労働者人口の減少に伴う人手不足は、近年の日本が抱える重要な課題のひとつであり、これからの日本では少ない労働者で業務をこなしていく必要がある。
【０００３】
小売業界でも労働者不足が問題になっている。現在の一般的なＰＯＳ端末では、買物客一人当たりのＰＯＳ端末占有時間が長い。このために買物客がレジの前に長い行列を作りやすい。レジ待ちの行列を短い時間で消化するためには、ＰＯＳ端末を増やしてレジ担当者を増員することが解決策として考えられるが、労働者不足のためにこの解決策を取るのは困難である。
【０００４】
他の解決策にセミセルフレジ、セルフレジがある。ここで、商品のバーコード読み取り等、商品の単価及び個数を入力する操作を入力操作と呼ぶものとする。また、入力に基づく合計金額の算出、現金、カード等による支払の受付までの操作を決済操作と呼ぶものとする。セルフレジの場合、入力操作から決済操作まで買物客がＰＯＳ端末にて行う。セミセルフレジの場合、通常、入力操作のみをレジ担当者がＰＯＳ端末にて行う。決済操作についてはＰＯＳ端末とは別に決済端末を設置し、買物客が行う。
【０００５】
セルフレジ、セミセルフレジでは決済処理の一部乃至全部を買物客が行う。このため、店舗側は同数のレジ担当者でより多くの決済処理をより短時間で済ませることができる。
【０００６】
本発明に関連する技術が記載された文献に特許文献１がある。特許文献１では、店舗内にセルフレジ端末、ＰＯＳ端末を設置する。セルフレジ端末は顧客が自ら購入商品の商品情報を入力する端末であり、入力した購入商品の情報を印刷したレシートを発行する（同文献第００２８段落）。この後、顧客がセルフレジ端末で発行されたレシートを持参して、ＰＯＳ端末へ行き、ＰＯＳ端末の担当者にそのレシートを渡すと、その担当者が、ＰＯＳ端末に備えられたスキャナにより、レシートに印刷された２次元コードを読み取らせる（同文献第００３０段落）。
【先行技術文献】
【特許文献】
【０００７】
【特許文献１】特開２０１２−１９０２４６号公報
【発明の概要】
【発明が解決しようとする課題】
【０００８】
セミセルフレジ、セルフレジを用いた解決策によれば、セミセルフレジ、セルフレジに対応するＰＯＳ端末を新規に導入する必要がある。
【０００９】
本発明はこのような状況を鑑みてなされたものであり、本発明が解決しようとする課題は、決済処理の際に買物客一人当たりが決済端末を占有する時間を短縮することが可能な決済システムを提供することにある。
【課題を解決するための手段】
【００１０】
上述の課題を解決するため、本発明は、その一態様として、携帯端末及び決済端末を備える決済システムであって、前記携帯端末は、光学読取可能な識別子である第１の識別子を光学読取して、前記第１の識別子に対応する商品コードを出力するための第１の読取手段と、前記商品コードに対応し、光学読取可能な識別子であって、前記第１の識別子とは異なる第２の識別子を出力するための識別子変換手段と、前記第２の識別子の画像を表示するための表示手段とを備え、前記決済端末は、前記表示手段に表示された前記第２の識別子の画像を光学読取して、前記第２の識別子に対応する前記商品コードを出力するための第２の読取手段と、前記第２の読取手段によって読み取った前記商品コードに基づいて、決済処理を行う決済処理手段とを備える、決済システムを提供する。
【００１１】
また、本発明は、他の一態様として、光学読取可能な識別子である第１の識別子を光学読取して、前記第１の識別子に対応する商品コードを出力するための第１の読取手段と、前記商品コードに対応し、光学読取可能な識別子であって、前記第１の識別子とは異なる第２の識別子を出力するための識別子変換手段と、前記第２の識別子の画像を表示するための表示手段とを備える、携帯端末を提供する。
【００１２】
また、本発明は、他の一態様として、光学読取可能な識別子である第１の識別子を光学読取して、前記第１の識別子に対応する商品コードを出力する第１の読取手順、前記商品コードに対応し、光学読取可能な識別子であって、前記第１の識別子とは異なる第２の識別子を出力する識別子変換手順、及び、前記第２の識別子の画像を表示装置に表示する表示手順を携帯端末の処理装置に実行させるためのプログラムを提供する。
【００１３】
また、本発明は、他の一態様として、携帯端末を用いて、光学読取可能な識別子である第１の識別子を光学読取して、前記第１の識別子に対応する商品コードを求める第１の読取段階、前記携帯端末を用いて、前記商品コードに対応し、光学読取可能な識別子であって、前記第１の識別子とは異なる第２の識別子を求める識別子変換段階、前記携帯端末を用いて、前記第２の識別子の画像を表示する表示段階、前記携帯端末にて表示された前記第２の識別子の画像を、決済端末を用いて光学読取し、前記第２の識別子に対応する前記商品コードを求める第２の読取段階、及び、前記決済端末を用いて、前記第２の読取段階で読み取った前記商品コードに基づいて、決済処理を行う決済処理段階を含む決済方法を提供する。
【発明の効果】
【００１４】
本発明によれば、決済端末において個々の商品から一次元コードを読み取る時間を省略し、買物客一人当たりの決済端末の占有時間を短縮することができる。
【図面の簡単な説明】
【００１５】
【図１】本発明の第１の実施の形態である決済システム１のブロック図である。
【図２】決済システム１の動作を説明するための図である。
【図３】本発明の第２の実施の形態である決済システム５０のブロック図である。
【図４】決済システム５０の動作を説明するための図である。
【発明を実施するための形態】
【００１６】
本発明の第１の実施の形態である決済システム１について説明する。決済システム１では、買物客がレジに並ぶ前に、買物客自身の携帯端末２を用いて、商品の一次元コード（バーコード）を読み取り、購入する複数商品の一次元コードに対応する商品コードを、ひとつの二次元コードに変換して表示する。決済端末（POS端末）は、表示された二次元コードを読み取り、決済処理を行う。
【００１７】
決済システム１は携帯端末２、決済端末３、データベース（ＤＢ）４を備える。決済システム１は、例えばスーパーマーケット、コンビニエンスストア等の店舗において、買物客が購入する商品を決済する際に用いられる。店舗内の各商品にはその商品を識別するための識別子として商品コードが付与されていて、その商品コードを表す１次元コード、いわゆるバーコードが商品に添付されているものとする。
【００１８】
バーコードを商品に添付する形態は問わない。例えば商品或いはその包装に直接バーコードを印刷してもよいし、バーコードを印刷したシールを商品或いはその包装に貼付してもよい。商品或いはその包装そのものにバーコードを添付する代わりに、その商品を陳列した棚等に表示してもよい。
【００１９】
携帯端末２は携帯可能な情報処理装置である。例えば、スマートフォン、携帯電話端末、ＰＤＡ（Ｐｅｒｓｏｎａｌ  Ｄａｔａ  Ａｓｓｉｓｔａｎｔ）、タブレット、ラップトップコンピュータを携帯端末２として用いることができるが、特に、スマートフォン、タブレットが好適である。スマートフォン、タブレットの場合、携帯端末２は、スマートフォン、タブレットが備える固体撮像素子、表示装置、プロセッサ等のハードウェアと、Android、iOS、Windows mobile等のＯＳ（Ｏｐｅｒａｔｉｎｇ  Ｓｙｓｔｅｍ）、これらＯＳ上で動作するアプリケーションソフトウェアの組み合わせとして実現される。
【００２０】
携帯端末２は、基本的には買物客個人の所有物を想定しているが、店舗が買物客に一時的に貸与するものであってもよい。携帯端末２が買物客のスマートフォン、タブレットの場合、買物客は、予め上述のアプリケーションソフトウェアをインストールしておくものとする。
【００２１】
携帯端末２は、一次元コード読取部２１、二次元コード生成部２２、表示部２３、入力部２４、制御部２５を備える。
【００２２】
一次元コード読取部２１は、ＣＣＤ（Ｃｈａｒｇｅ−Ｃｏｕｐｌｅｄ  Ｄｅｖｉｃｅ）イメージセンサ、ＣＭＯＳ（Ｃｏｍｐｌｅｍｅｎｔａｒｙ  Ｍｅｔａｌ−Ｏｘｃｉｄｅ−Ｓｅｍｉｃｏｎｄｕｃｔｏｒ）イメージセンサ等の固体撮像素子を備え、商品に添付のバーコードからその商品の商品コードを読み取る。買物客が購入する商品の１次元コードをこの固体撮像素子で撮影する毎に、一次元コード読取部２１は、撮影したバーコードからその商品の商品コードを抽出する。また、一次元コード読取部２１は、抽出した商品コードに基づいて、商品コードからなる商品明細を生成する。一次元コード読取部２１は、一次元コードを読み取る毎に、対応する商品コードを商品明細に追加する。
【００２３】
二次元コード生成部２２は、商品明細に登録された一乃至複数の商品コードに対応する二次元コードを求め、その二次元コードを示す画像情報を出力する。二次元コードの種類は問わない。例えばＱＲコード（登録商標）のように、小さな正方形を四隅に配置したマトリックス式の二次元コードであってもよい。或いは、複数のバーコードを上下に重ねたスタック式の二次元コードであってもよい。入力された商品コードの数が多い場合には、複数の二次元コードを生成する。
【００２４】
表示部２３は液晶ディスプレイ装置、ＯＥＬ（Ｏｒｇａｎｉｃ  Ｅｌｅｃｔｒｏ−Ｌｕｍｉｎｅｓｃｅｎｃｅ）ディスプレイ装置等のディスプレイ装置である。表示部２３は、一次元コード読取部２１が生成した最新の商品明細を表示する。また、表示部２３は、二次元コード生成部２２が生成した二次元コードを表示する。
【００２５】
入力部２４はキーボード、マウス等の入力装置である。スマートフォン、タブレットの場合は、表示部２３と入力部２４とを組み合わせてタッチパネルとして実装される。入力部２４は数字入力手段としても動作する。
【００２６】
制御部２５は携帯端末２の各部を制御する制御装置であり、プロセッサ、メモリ等を備える。
【００２７】
決済端末３は例えばＰＯＳ（Ｐｏｉｎｔ  Ｏｆ  Ｓａｌｅｓ）端末である。決済端末３は店舗のレジに設置される。店舗のレジ担当者は、決済端末３を操作して決済処理を行い、買物客から代金を受け取り、釣銭とレシートを買物客に渡す。決済端末３は二次元コード読取部３１、決済処理部３２を備える。尚、決済端末３は、セルフレジ、セミセルフレジであってもよい。この場合、レジ担当者が行う操作を買物客が行う。
【００２８】
二次元コード読取部３１は、ＣＣＤイメージセンサ、ＣＭＯＳイメージセンサ等の固体撮像素子を備え、携帯端末２の表示部２３に表示された二次元コードを読み取り、一乃至複数の商品コードを抽出する。
【００２９】
決済処理部３２は、二次元コード読取部３１が出力する商品コードに基づいて、決済処理を行う。決済処理部３２は、二次元コード読取部３１から受け取った商品コードに対応する価格を、後述する商品マスタ４１から受け取り、その価格に基づいて買物客が購入しようとしている商品の合計金額を算出する。その後、決済処理部３２は、算出した合計金額に基づいて、現金、カード等による決済を行う。
【００３０】
データベース４は商品マスタ４１を格納するデータベース管理システムである。商品マスタ４１は、店舗が販売している商品のそれぞれについて、その商品を示す商品コード、その商品の商品名、その商品の価格、その商品の在庫数等を互いに関連付けて格納したテーブルである。データベース４及び商品マスタ４１は、商品コードとその商品コードが示す商品の価格とを関連付けた商品マスタを格納するための記憶手段として機能する。
【００３１】
尚、決済端末３の構成は、二次元コード読取部３１を備えること以外については一般的な構成である。つまり、店舗に既に設置済みのＰＯＳ端末に、二次元コード読取部３１として例えばＱＲバーコードリーダーを追加すれば決済端末３を実現可能である。このため、既存のＰＯＳ端末を基に比較的低コストで店舗に決済端末３を設置することができ、導入コストを抑えることができる。
【００３２】
決済システム１の動作の概要について説明する。買物客は、自身が所有する携帯端末２の一次元コード読取部２１を用いて、購入する商品毎に、その商品の一次元コード（バーコード）を読み取り、買物カゴに入れていく。買物客は、購入する商品をすべて買物カゴに入れるまで、この作業を繰り返す。購入する商品すべてから一次元コードを一次元コード読取部２１で読み取り、それら商品を買物カゴに入れた後、買物客は携帯端末２に所定の操作を行う。この所定の操作に応じて、携帯端末２の二次元コード生成部２２は、読み取った複数の商品の商品コードから二次元コードを生成し、その二次元コードを表示部２３で表示する。レジ担当者は、決済端末３の二次元コード読取部３１を用いて、その表示された二次元コードを読み取る。決済端末３の決済処理部３２は、その二次元コードに対応する一乃至複数の商品コードを取得する。決済端末３の決済処理部３２は、取得した商品コードに基づいて、データベース４の商品マスタ４１に商品の価格を問い合わせる。
【００３３】
決済システム１の動作について図２を参照して詳しく説明する。
【００３４】
買物客は、店舗内に陳列された商品の中から購入したい商品を選択し、選択した商品を買物カゴに入れる。商品を買物カゴに入れる際、買物客は携帯端末２の一次元コード読取部２１を用いてその商品のバーコードを読み取る。一次元コード読取部２１は、バーコードを読み取った商品を商品明細に順次登録する（ステップＳ１）。商品明細は一次元コード読取部２１で読み取った一次元コードが示す商品コードのリストである。同一の商品を複数購入する場合には、その商品の個々についてバーコードを読み取ることとしてもよい。或いは、１個の商品からバーコードを読み取った後、入力部２４を介して個数を入力することとしてもよい。商品明細に登録した商品の購入を中止する場合、買物客は、入力部２４を介して、表示部２３に表示された商品明細から該当する明細行を削除する操作を行う。
【００３５】
購入するすべての商品が決まったら、買物客は、入力部２４を介して所定の操作を行う。この所定の操作に応じて、二次元コード生成部２２は、商品明細に基づいて二次元コードを生成する。表示部２３はその二次元コードを表示する（ステップＳ２）。そのまま買物客は決済端末３の前に移動する。
【００３６】
レジ担当者は、二次元コード読取部３１を用いて、表示部２３に表示された二次元コードを読み取る（ステップＳ３）。決済端末３がセルフレジ、セミセルフレジのような無人端末の場合には、買物客が決済端末３を用いてこの操作を行う。
【００３７】
決済端末３の決済処理部３２は、二次元コードが示す商品コードに基づいて、データベース４の商品マスタ４１から各商品の価格を取得（ステップＳ４）し、購入する商品全体の合計金額を算出し、決済を行う（ステップＳ５）。
【００３８】
決済システム１によれば次のような効果がある。
【００３９】
一般に、端末間のデータを連携する際には、端末間で有線または無線通信を行うことが多い。しかし、買物客が所有する携帯端末を店舗のネットワークに接続することはセキュリティ面から望ましいとはいえない。また、通信設備の敷設が困難な催事場等のオフライン環境では、通信を前提とする手法を用いるのは困難である。しかし、決済システム１では、ディスプレイ装置に表示した二次元コードの光学的な読取を介してデータを伝送する。このため、上述のセキュリティ問題を生じることがなく、また、オフライン環境にも容易に適用することができる。
【００４０】
また、決済システム１では、商品のバーコード読取作業を、決済端末３があるレジ周辺以外の場所で行うことができる。このため、決済端末３は、商品のバーコード読取作業を行う必要がない。決済端末３はほぼ決済処理のみを行うだけでよい。決済端末３にて行う処理量が少なくなるため、一人の買物客が決済端末３を占有する時間は短くなり、決済端末３の前で買物客が待つ時間を短縮することができる。または、店舗に設置する決済端末の台数を削減することができ、店舗運営に必要なレジ担当者の数を削減することができる。
【００４１】
本発明の第２の実施の形態である決済システム５０について説明する。上述の決済システム１では、買物客が商品明細に登録した商品と、買物客が買物カゴに入れた商品とが一致しているか否かを判定していなかった。決済システム５０では、両者の一致、不一致を判定する。
【００４２】
図３を参照して上述の決済システム１と比較すると、決済システム５０は、決済端末３に対応する決済端末３Ａが重量計３３、重量比較部３４を備えることと、商品マスタ４１は、店舗が販売している商品のそれぞれについて、その商品の商品コード、その商品の商品名、その商品の価格、その商品の在庫数等に加えて、その商品の重量を互いに関連付けて格納したテーブルであることが異なる。
【００４３】
重量計３３は、買物客が購入しようとしている商品の重量を計測するための重量計である。重量比較部３４は、二次元コード読取部３１から取得した商品コードに基づいて、各商品の重量を商品マスタ４１から取得する。そして、重量比較部３４は、商品マスタ４１から取得した重量の合計と、重量計３３で計測した商品の重量の合計とを比較する。比較結果に基づいて、重量比較部３４は、買物客が商品明細に登録した商品と、買物客が購入しようとしている商品とが一致しているか否かを判定する。不一致の場合、重量比較部３４は不一致を通知するメッセージを出力する。
【００４４】
図４を参照して決済システム５０の動作について説明する。
【００４５】
ステップＳ１１〜Ｓ１４は上述のステップＳ１〜Ｓ４と同様である。続いて、レジ担当者は、重量計３３を使って、買物客が購入しようとしている全商品の重量を計測する（ステップＳ１５）。商品を買物カゴに入れた状態で買物カゴごと重量を計測した後、予め計測した買物カゴ単体の重量を引いてもよい。或いは、買物カゴから商品を出して、商品の重量をひとつずつ計測し、その合計を算出してもよい。
【００４６】
次に、重量比較部３４は、二次元コード読取部３１から取得した商品コードに基づいて、商品マスタ４１から各商品の重量を取得し、その合計値を算出する（ステップＳ１６）。
【００４７】
次に、重量比較部３４は、重量計３３で計測した、購入しようとしている商品全体の重量と、商品マスタ４１から取得した商品の重量の合計値とを比較する（ステップＳ１７）。
【００４８】
両者が一致する場合、重量比較部３４は、商品明細に登録された商品と、買物客が購入しようとして持参した商品とが一致していると判定する。この場合は、そのまま決済処理部３２が決済処理を実行する。決済処理は上述のステップＳ５と同様である。
【００４９】
一方、両者が不一致の場合、重量比較部３４は、不一致を通知するメッセージを出力する。メッセージの出力形態としては、決済端末３Ａの不図示のスピーカーから音声として出力する、決済端末３Ａの不図示の表示装置から画像或いは動画として出力することが考えられる。これらの組み合わせを用いることとしてもよい。この場合、決済処理部３２は決済処理を行わない。
【００５０】
尚、決済端末３Ａが無人端末であり、レジ担当者がいない場合には、上述のレジ担当者が行う作業を買物客が行う。
【００５１】
このように、決済システム５０によれば、決済システム１の効果に加えて、購入商品の重量合計について論理値と計測値を比較して、売上明細の妥当性を確認することができるという効果を奏する。
【００５２】
本発明は上述の第１及び第２の実施の形態に限定されるものではない。例えば、上述の実施形態では、携帯端末２で読み取るコードを一次元コードとし、携帯端末２で表示し、決済端末３／３Ａで読み取るコードを二次元コードとして説明した。しかし、これらのコードについては光学的に読取可能なコードであればよい。例えば、一次元コード読取部２１の代わりに、ＯＣＲ（Ｏｐｔｉｃａｌ  Ｃｈａｒａｃｔｅｒ  Ｒｅｃｏｇｎｉｔｉｏｎ）を行うこととしてもよい。この場合、商品或いはその商品を陳列する棚等には、一次元コードの代わりに人間が可読な文字等（ひらがな、カタカナ、漢字、アルファベット、記号等）を用いて、商品名等の商品に関する情報が提示される。この提示された文字等を携帯端末２がＯＣＲによって機械認識する。二次元コード生成部２２で生成し、二次元コード読取部３１で読み取るコードについても同様である。
【００５３】
また、第１及び第２の実施の形態では、携帯端末２は、商品コードからなる商品明細を生成し、表示部２３に表示するものとして説明したが、商品コードからなる商品明細の代わりに、或いは、商品名からなる商品明細、商品コード及び商品名からなる商品明細を生成、表示することとしてもよい。例えば、店舗の商品の一部乃至全部の商品コードと商品名の対応関係を示すテーブルを、アプリケーションソフトウェアの一部として携帯端末２の記憶装置に予め格納しておき、商品明細を生成する際にこのテーブルを参照することにより、こうした商品明細を生成することが考えられる。このような商品明細を表示することとすれば、買物客は商品明細に現に登録されている商品を容易に把握することができる。
【００５４】
上記の実施形態の一部又は全部は以下の付記のようにも記載されうるが、以下には限られない。
【００５５】
（付記１）
携帯端末及び決済端末を備える決済システムであって、
前記携帯端末は、
光学読取可能な識別子である第１の識別子を光学読取して、前記第１の識別子に対応する商品コードを出力するための第１の読取手段と、
前記商品コードに対応し、光学読取可能な識別子であって、前記第１の識別子とは異なる第２の識別子を出力するための識別子変換手段と、
前記第２の識別子の画像を表示するための表示手段とを備え、
前記決済端末は、
前記表示手段に表示された前記第２の識別子の画像を光学読取して、前記第２の識別子に対応する前記商品コードを出力するための第２の読取手段と、
前記第２の読取手段によって読み取った前記商品コードに基づいて、決済処理を行う決済処理手段とを備える、決済システム。
【００５６】
（付記２）
前記識別子変換手段は、複数の前記商品コードに対応する一の前記第２の識別子を出力する、付記１に記載の決済システム。
【００５７】
（付記３）
前記携帯端末は商品の個数を入力するための数字入力手段を備え、
前記識別子変換手段は、前記数字入力手段を介して入力された商品の個数、及び、前記第１の読取手段が出力した前記商品コードに対応する前記第２の識別子を出力する
付記１または付記２に記載の決済システム。
【００５８】
（付記４）
前記第１の識別子は一次元バーコードであり、前記第２の識別子は二次元バーコードである、付記１乃至付記３のいずれか１つに記載の決済システム。
【００５９】
（付記５）
前記決済システムは、商品コードとその商品コードが示す商品の価格とを関連付けた商品マスタを格納するための記憶手段を備え、
前記決済端末は、入力された商品コードに対応する価格を前記記憶手段から取得し、取得した前記価格に基づいて前記決済処理を行う、付記１乃至付記４のいずれかに記載の決済システム。
【００６０】
（付記６）
前記決済システムは、商品コードとその商品コードが示す商品の重量とを関連付けた商品マスタを格納する記憶手段を備え、
前記決済端末は重量計を備え、
前記決済端末は、前記第２の読取手段を介して入力された、前記商品コードが示す商品の重量を、前記記憶手段から取得し、
前記重量計にて計測した、一乃至複数の商品全体の重量と、前記商品マスタから取得した、前記一乃至複数の商品の重量の合計とを比較するための比較手段を、前記決済端末は更に備える
付記１乃至付記５のいずれかに記載の決済システム。
【００６１】
（付記７）
光学読取可能な識別子である第１の識別子を光学読取して、前記第１の識別子に対応する商品コードを出力するための第１の読取手段と、
前記商品コードに対応し、光学読取可能な識別子であって、前記第１の識別子とは異なる第２の識別子を出力するための識別子変換手段と、
前記第２の識別子の画像を表示するための表示手段とを備える、携帯端末。
【００６２】
（付記８）
前記識別子変換手段は、複数の商品コードに対応する一の前記第２の識別子を出力する、付記７に記載の携帯端末。
【００６３】
（付記９）
商品の個数を入力するための数字入力手段を備え、
前記識別子変換手段は、前記数字入力手段を介して入力された商品の個数、及び、前記第１の読取手段が出力した前記商品コードに対応する前記第２の識別子を出力する
付記７または付記８に記載の携帯端末。
【００６４】
（付記１０）
前記第１の識別子は一次元バーコードであり、前記第２の識別子は二次元バーコードである、付記７乃至付記９のいずれか１つに記載の携帯端末。
【００６５】
（付記１１）
光学読取可能な識別子である第１の識別子を光学読取して、前記第１の識別子に対応する商品コードを出力する第１の読取手順、
前記商品コードに対応し、光学読取可能な識別子であって、前記第１の識別子とは異なる第２の識別子を出力する識別子変換手順、及び、
前記第２の識別子の画像を表示装置に表示する表示手順
を携帯端末の処理装置に実行させるためのプログラム。
【００６６】
（付記１２）
前記識別子変換手順は、複数の商品コードに対応する一の前記第２の識別子を出力する、付記１１に記載のプログラム。
【００６７】
（付記１３）
商品の個数を入力する数字入力手順を更に前記処理装置に実行させるプログラムであって、
前記識別子変換手順は、前記数字入力手順を介して入力された商品の個数、及び、前記第１の読取手順が出力した前記商品コードに対応する前記第２の識別子を出力する
付記１１または付記１２に記載のプログラム。
【００６８】
（付記１４）
前記第１の識別子は一次元バーコードであり、前記第２の識別子は二次元バーコードである、付記１１乃至付記１３のいずれか１つに記載のプログラム。
【００６９】
（付記１５）
携帯端末を用いて、光学読取可能な識別子である第１の識別子を光学読取して、前記第１の識別子に対応する商品コードを求める第１の読取段階、
前記携帯端末を用いて、前記商品コードに対応し、光学読取可能な識別子であって、前記第１の識別子とは異なる第２の識別子を求める識別子変換段階、
前記携帯端末を用いて、前記第２の識別子の画像を表示する表示段階、
前記携帯端末にて表示された前記第２の識別子の画像を、決済端末を用いて光学読取し、前記第２の識別子に対応する前記商品コードを求める第２の読取段階、及び、
前記決済端末を用いて、前記第２の読取段階で読み取った前記商品コードに基づいて、決済処理を行う決済処理段階
を含む決済方法。
【００７０】
（付記１６）
前記識別子変換段階は、複数の前記商品コードに対応する一の前記第２の識別子を求める、付記１５に記載の決済方法。
【００７１】
（付記１７）
前記携帯端末を介して商品の個数を入力する数字入力段階を更に含み、
前記識別子変換段階は、前記数字入力段階で入力された商品の個数、及び、前記第１の読取段階で求めた前記商品コードに対応する前記第２の識別子を求める
付記１５または付記１６に記載の決済方法。
【００７２】
（付記１８）
前記第１の識別子は一次元バーコードであり、前記第２の識別子は二次元バーコードである、付記１５乃至付記１７のいずれか１つに記載の決済方法。
【００７３】
（付記１９）
前記決済処理段階は、商品コードに対応する価格を、商品コードとその商品コードが示す商品の価格とを予め関連付けた商品マスタから取得して、取得した前記価格に基づいて前記決済処理を行う、付記１５乃至付記１８いずれか１つに記載の決済方法。
【００７４】
（付記２０）
一乃至複数の商品全体の重量を計測する段階、
商品コードとその商品コードが示す商品の重量とを予め関連付けた商品マスタから、前記一乃至複数の商品それぞれの重量を取得する段階、及び、
前記一乃至複数の商品全体の計測した重量と、前記商品マスタから取得した、前記一乃至複数の商品の重量の合計とを比較する段階
を更に含む、付記１５乃至付記１９のいずれか１つに記載の決済方法。
【符号の説明】
【００７５】
１、５０  決済システム
２  携帯端末
３、３Ａ  決済端末
４  データベース（ＤＢ）
２１  一次元コード読取部
２２  二次元コード生成部
２３  表示部
２４  入力部
２５  制御部
３１  二次元コード読取部
３２  決済処理部
３３  重量計
３４  重量比較部
４１  商品マスタ
【図１】
2019087198.tif 000003
【図２】
2019087198.tif 000004
【図３】
2019087198.tif 000005
【図４】
2019087198.tif 000006